(57)【要約】【課題】複数の情報表示器を冊子状に綴った状態で個別に識別可能で、且つ識別した該当する情報表示器に所定の情報を表示させる制御装置、情報表示器及び情報表示システムを提供する。【解決手段】制御装置は、画像信号に対応する所定画像を情報表示領域に表示する複数の情報表示器を制御する。制御装置は、複数の情報表示器を重ねて冊子状に綴るとともに、複数の情報表示器の各々と連結する装置側連結機構を備え、装置側連結機構には、装置側導通部分と、装置側絶縁部分とが形成されており、装置側導通部分と装置側絶縁部分との配置パターンは、複数の情報表示器の各々で異なり、画像信号を複数の情報表示器に送信する画像信号送信部と、所定画像を表示すべき情報表示器を識別するための識別信号を複数の情報表示器に送信する識別信号送信部とを備える。【選択図】図９
2013088463.tif 000002
【特許請求の範囲】
【請求項１】
少なくとも一方の基板が透明な情報表示領域を有する２つの基板の間に配置される表示媒体を駆動させて、画像信号に対応する所定画像を前記情報表示領域に表示する複数の情報表示器を備える情報表示システムにおいて、複数の情報表示器を制御する制御装置であって、
前記複数の情報表示器を重ねて冊子状に綴るとともに、前記複数の情報表示器の各々と連結する装置側連結機構を備え、
前記装置側連結機構には、前記情報表示器と電気的に接続される装置側導通部分と、前記情報表示器と電気的に絶縁される装置側絶縁部分とが形成されており、 
前記装置側導通部分と前記装置側絶縁部分との配置パターンは、前記複数の情報表示器の各々で異なり、
画像信号を複数の情報表示器に送信する画像信号送信部と、
前記画像信号に対応する所定画像を表示すべき情報表示器を識別するための識別信号を、前記複数の情報表示器に送信する識別信号送信部とを備え、
前記識別信号は、前記装置側導通部分と前記装置側絶縁部分との配置パターンに対応する
ことを特徴とする制御装置。
【請求項２】
前記装置側連結機構は、
前記複数の情報表示器を重ねて載置する載置部と、
前記載置部から突出し、前記複数の情報表示器の孔部に貫通する突出部とを有し、
前記装置側導通部分と前記装置側絶縁部分とは、前記突出部に形成されており、
前記装置側導通部分と前記装置側絶縁部分との前記配置パターンは、前記複数の情報表示器の各々の載置位置に応じて異なる
ことを特徴とする請求項１に記載の制御装置。
【請求項３】
少なくとも一方の基板が透明な情報表示領域を有する２つの基板間に配置される表示媒体を駆動させて、制御装置から受信した画像信号に対応する所定画像を前記情報表示領域に表示する情報表示器であって、
前記画像信号を前記制御装置から受信する画像信号受信部と、
自身が、前記画像信号に対応する所定画像を表示すべき情報表示器であるかを識別するための識別信号を、前記制御装置から受信する識別信号受信部と、
前記制御装置が備える、装置側導通部分と装置側絶縁部分との配置パターンが形成された装置側導通接続部と接続されることによって、前記配置パターンに基づく識別情報が与えられる表示器側導通接続部と、
を備えるとともに、
前記識別信号と、前記配置パターンに基づく前記識別情報と、に基づいて、前記画像信号に対応する所定画像を自身に表示するか否かを決定する判定回路を備える
ことを特徴とする情報表示器。
【請求項４】
請求項１又は２に記載の制御装置と、前記制御装置に接続される複数の請求項３に記載の情報表示器とを備える情報表示システムであって、
前記制御装置は、
前記複数の情報表示器に対して、それぞれの情報表示器に表示すべき所定画像に対応する画像信号およびそれぞれの情報表示器を識別するための識別信号を含んだ制御信号を順次送信し、
前記複数の情報表示器のそれぞれは、
前記識別信号と、前記制御装置との接続により付与された装置側導通部分と装置側絶縁部分との配置パターンに基づく識別情報と、に基づいて、前記画像信号に対応する所定画像を自身に表示するか否かを前記判定回路によって決定後、自身に表示すべき所定画像を順次表示する
ことを特徴とする情報表示システム。
【発明の詳細な説明】
【技術分野】
【０００１】
本発明は、少なくとも一方の基板が透明な情報表示領域を有する２つの基板の間に配置される表示媒体を駆動させて、画像信号に対応する所定画像を情報表示領域に表示する複数の情報表示器を制御する制御装置、情報表示器及び情報表示システムに関する。
【背景技術】
【０００２】
従来、少なくとも観察側となる基板が透明な２枚の基板を対向させて形成した空間に、電気的に駆動できる表示媒体を配置した情報表示パネルが情報表示器として知られている。
【０００３】
更に、紙と同様に、複数の情報表示器を見開き可能に綴った情報表示装置が開示されている（例えば、特許文献１参照）。このような情報表示装置によれば、情報表示器を冊子のように利用することができる。
【先行技術文献】
【特許文献】
【０００４】
【特許文献１】特開２００６−１６２９０２号公報
【発明の概要】
【発明が解決しようとする課題】
【０００５】
ところが、特許文献１に記載された情報表示装置では、次のような問題点があった。すなわち、情報表示装置の各情報表示器を一度見開きにしなければ、本体に認識されず、各情報表示器に表示させる情報の書き換えを行うことができなかった。
【０００６】
そこで、本発明は、このような状況に鑑みてなされたものであり、複数の情報表示器を冊子状に綴った状態で個別に識別可能で、且つ該当する情報表示器に所定の情報を表示させることができる制御装置、情報表示器及び情報表示システムを提供することを目的とする。
【課題を解決するための手段】
【０００７】
上述した課題を解決するため、本発明は、次のような特徴を有している。まず、本発明の第１の特徴は、少なくとも一方の基板が透明な情報表示領域を有する２つの基板の間に配置される表示媒体を駆動させて、画像信号に対応する所定画像を前記情報表示領域に表示する複数の情報表示器を備える情報表示システムにおいて、複数の情報表示器を制御する制御装置であって、複数の情報表示器を重ねて冊子状に綴るとともに、複数の情報表示器の各々と連結する装置側連結機構を備え、装置側連結機構には、前記情報表示器と電気的に接続される装置側導通部分と、前記情報表示器と電気的に絶縁される装置側絶縁部分とが形成されており、装置側導通部分と装置側絶縁部分との配置パターンは、接続される複数の情報表示器の各々に対して異なるように形成されており、画像信号を複数の情報表示器に送信する画像信号送信部と、前記画像信号に対応する所定画像を表示すべき情報表示器を識別するための識別信号を、前記複数の情報表示器に送信する識別信号送信部とを備え、前記識別信号は、装置側導通部分と装置側絶縁部分との前記配置パターンに対応することを要旨とする。
【０００８】
本発明の特徴によれば、制御装置は、複数の情報表示器を重ねて冊子状に綴り、複数の情報表示器に連結する装置側連結機構を備える。装置側連結機構は、装置側導通部分と装置側絶縁部分とを有する。また、制御装置は、画像信号を複数の情報表示器に送信する画像信号送信部と、所定画像に書き換えるべき情報表示器を識別する識別信号を、複数の情報表示器に送信する識別信号送信部とを有する。装置側導通部分と装置側絶縁部分との配置パターンは、接続される複数の情報表示器の各々に対して異なるようにしてある。制御装置は、画像信号および識別信号を含む制御信号として送信する制御信号の識別信号あるいは画像信号とともに送信する識別信号を用いて、画像信号による所定画像に表示を書き換えるべき情報表示器を指定できる。識別信号は、装置側導通部分と装置側絶縁部分との配置パターンに対応する。各情報表示器は、制御装置と接続されることによって、自身が接続された位置にある装置側導通部分と装置側絶縁部分との配置パターンに基づく識別情報を付与されることになり、制御装置から、画像信号および識別信号を含む制御信号として送信された制御信号の識別信号あるいは画像信号とともに送信された識別信号と、制御装置との接続によって自身に付与されたこの識別情報に基づき、制御装置から送信された画像信号が、自身の表示を書き換えるものであるかどうかを判定する。この判定は、情報表示器側が備える、論理演算を行う電子回路によって実行され、画像信号および識別信号を含む制御信号として送信された制御信号の識別信号と、あるいは画像信号とともに送信された識別信号と、付与された識別情報とを比較することによって、画像信号に対応する所定画像に表示を書き換えるべき情報表示器と判定された情報表示器においてだけその表示が書き換えられる。このように、かかる制御装置によれば、複数の情報表示器を冊子状に綴った状態であっても、複数の情報表示器の各々を個別に識別して、画像信号に応じた所定画像に書き換えるべき情報表示器に所定画像を表示させることができる。
【０００９】
また、各情報表示器に対して識別情報を与える導通部分と絶縁部分との配置パターンが、制御装置側の連結機構に装置側導通部分と装置側絶縁部分として、接続される各情報表示器に対応する位置に形成されている。したがって、情報表示器には導通部分と絶縁部分とを形成せずに、全てを導通部分とした導通接続部としておくだけでよいので、情報表示器の共通化を図ることが可能になる。
【００１０】
本発明の他の特徴では、前記装置側連結機構は、前記複数の情報表示器を重ねて載置する載置部と、前記載置部から突出し、複数の情報表示器の孔部に貫通する突出部とを有し、装置側導通部分と装置側絶縁部分とは、前記突出部に形成されており、装置側導通部分と装置側絶縁部分との配置パターンは、複数の情報表示器の各々の載置位置に応じて異なることを要旨とする。
【００１１】
本発明の第２の特徴は、少なくとも一方の基板が透明な情報表示領域を有する２つの基板間に配置される表示媒体を駆動させて、制御装置から受信した画像信号に対応する所定画像を前記情報表示領域に表示する情報表示器であって、前記画像信号を前記制御装置から受信する画像信号受信部と、前記情報表示器自身が、前記画像信号に対応する所定画像を表示すべき情報表示器であるかを識別するための識別信号を、前記制御装置から受信する識別信号受信部と、前記制御装置が備える、装置側導通部分と装置側絶縁部分との配置パターンが形成された装置側導通接続部と接続されることによって、前記配置パターンに基づく識別情報が与えられる表示器側導通接続部と、を備えるとともに、前記識別信号と、前記配置パターンに基づく前記識別情報と、に基づいて、前記画像信号に対応する所定画像を前記情報表示器自身に表示するか否かを決定する判定回路を備えることを要旨とする。
【００１２】
本発明の第３の特徴は、上述した制御装置と、上述した複数の情報表示器とを備える情報表示システムであって、前記制御装置は、前記複数の情報表示器に対して、それぞれの情報表示器に表示すべき所定画像に対応する画像信号およびそれぞれの情報表示器を識別するための識別信号を含んだ制御信号を順次送信し、前記複数の情報表示器のそれぞれは、前記識別信号と、制御装置との接続によって付与された、装置側導通部分と装置側絶縁部分との配置パターンに基づく識別情報と、に基づいて、前記画像信号による所定画像を自身に表示するか否かを決定後、自身に表示すべき所定画像を順次表示することを要旨とする。
【発明の効果】
【００１３】
本発明によれば、複数の情報表示器を冊子状に綴った状態で個別に識別可能にして、該当する情報表示器に所定の情報を表示させることができる制御装置、情報表示器及び情報表示システムを提供できる。
【図面の簡単な説明】
【００１４】
【図１】図１は、本発明の実施形態に係る情報表示システムの概略構成を示す斜視図である。
【図２】図２は、本発明の実施形態に係る情報表示システムの分解斜視図である。
【図３】図３は、図１に示す情報表示システムのＸ−Ｘ線における断面図である。
【図４】図４は、図１に示す情報表示システムのＹ−Ｙ線における断面図である。
【図５】図５（ａ）は、制御装置の装置側連結機構である突出部に形成された導通接続部１２４の平面図である。図５（ｂ）は、情報表示システムの接続部分の拡大断面図である。
【図６】図６は、本発明の実施形態に係る情報表示システムの情報表示器を説明する平面図である。
【図７】図７は、図６に示す情報表示器のＡ−Ａ線における断面図である。
【図８】図８は、本発明の実施形態に係る情報表示器の導通接続部となる孔部の拡大図である。
【図９】図９は、本発明の実施形態に係る制御装置と情報表示器との接続構成および判定回路の一例を説明する回路図である。
【図１０】図１０は、本発明の実施形態に係る情報表示器に配置される駆動回路と、駆動回路に接続される接続線を説明する図である。
【図１１】図１１は、情報表示システムの処理を説明するフローチャートである。
【図１２】図１２（ａ）は、装置側連結機構の変形例による情報表示システムを説明する図である。図１２（ｂ）は、装置側連結機構の他の変形例による情報表示システムを説明する図である。
【図１３】図１３は、装置側連結機構の他の変形例を説明する図である。
【図１４】図１４は、本発明の実施形態に係る情報表示システムを構成する情報表示器の一例を説明する概略斜視図である。
【図１５】図１５は、本発明の実施形態に係る情報表示システムの機能ブロック構成の一例を示す図である。
【図１６】図１６は、本発明の情報表示器の一例である粒子移動型の情報表示器の一部を分解して示す分解斜視図である。
【図１７】図１７（ａ）は、情報表示器の他の実施形態を説明する図である。図１７（ｂ）は、情報表示器の他の実施形態を説明する図である。図１７（ｃ）は、情報表示器の他の実施形態を説明する図である。
【発明を実施するための形態】
【００１５】
以下、本発明の実施形態に係る情報表示器の一例及び制御装置の一例について、図面を参照しながら説明する。具体的には、（１）情報表示システムの概略構成、（２）制御装置の構成、（３）情報表示器の概略構成、（４）制御装置と情報表示器との接続回路構成および判定回路構成、（５）情報表示システムの処理、（６）作用・効果、（７）連結機構の変形例、（８）情報表示器の具体的構成例について説明する。
【００１６】
以下の図面の記載において、同一または類似の部分には、同一又は類似の符号を付している。図面は模式的なのものであり、各寸法の比率などは現実のものとは異なることを留意すべきである。具体的な寸法などは、以下の説明を参酌して判断すべきものである。図面相互間においても互いの寸法の関係や比率が異なる部分が含まれていることは勿論である。
【００１７】
（１）情報表示システムの概略構成
図１は、情報表示システム１００の概略構成を示す斜視図である。図２は、情報表示システム１００の分解斜視図である。図３は、情報表示システム１００のＸ−Ｘ線における断面図である。
【００１８】
図１乃至３に示すように、情報表示システム１００は、複数の情報表示器１１０と、複数の情報表示器１１０に対する情報の表示を制御する制御装置１２０とを備える。本実施形態では、制御装置１２０は、外装体Ｃとして構成されている。制御装置１２０は、ＣＰＵ２０、グラフィックコントローラ３０（図１５参照）、メモリなどを備えている。制御装置１２０は、情報表示器１１０に画像信号を送信するとともに、画像信号に対応する所定画像を表示するように情報表示器１１０を制御する。
【００１９】
本実施形態に係る情報表示システム１００において、制御装置１２０には、外装体Ｃから突出した複数の突出部１２１が形成されており、複数の情報表示器１１０には孔部（貫通孔）１１０ｈが形成されている。孔部１１０ｈに突出部１２１が貫通されることにより、複数の情報表示器１１０が制御装置１２０に取り付けられる。具体的には、制御装置１２０は、突出部１２１によって、複数の情報表示器１１０を重ねて冊子状に綴ることができる。また、制御装置１２０には、パーソナルコンピュータ（ＰＣ）、その他の電子機器、記憶装置などと接続可能な接続端子が設けられていてもよい（不図示）。
【００２０】
さらに、情報表示を実行する時に必要な電源供給は、外装体Ｃにシート電池やコイン型電池などの電源を搭載して制御装置１２０と接続させたり、外装体Ｃに設けた制御装置１２０と接続した接続端子に外部電源を接続させたりして行うことができる。
【００２１】
図１の例では、情報表示システム１００は、冊子状に綴じられた情報表示器の外装体Ｃに制御装置１２０を設けた構成を示したが、情報表示システム１００は、冊子状に綴じられた外装体Ｃとは別体として配置された制御装置１２０を備えることで、制御装置１２０が、外装体Ｃに設けられた接続端子に接続して情報表示器を制御する構成としてもよい。
【００２２】
本実施形態において、制御装置１２０に設けられる突出部１２１は、情報表示器１１０を重ねて載置する外装体Ｃの載置部Ｃａから突出し、一方向に並列して形成されている。突出部１２１のうちのいくつかは、導電性の部材を備えて形成されており、ＣＰＵ２０などの電子デバイスと電気的に接続されている。
【００２３】
また、情報表示器１１０に設けられる孔部１１０ｈは、情報表示器１１０の一辺に並列して所定数形成されている。孔部１１０ｈのうちのいくつかは、導電性の部材を備えて形成されており、導電性を備えた突出部１２１と電気的に接続可能に構成されている。突出部１２１と孔部１１０ｈとは互いに係合可能に構成されている。
【００２４】
本実施形態では、突出部１２１と孔部１１０ｈとは、互いに係合することによって、情報表示器１１０と制御装置１２０とを機械的に連結するとともに、情報表示器１１０と制御装置１２０とを電気的に接続する。制御装置１２０は、複数の情報表示器１１０を重ねて一纏めに綴るとともに、情報表示器１１０と電気的に接続されている。すなわち、導電性の部材を備えた突出部１２１と導電性の部材を備えた孔部（貫通孔）１１０ｈとは、情報表示器１１０と制御装置１２０との物理的、機械的に連結する部分であって、かつ電気的に接続する部分である。導電性の部材を備えない突出部１２１と導電性の部材を備える孔部（貫通孔）１１０ｈとは、情報表示器１１０と制御装置１２０とを専ら、物理的、機械的に連結する部分となる。本実施形態において、突出部１２１は、情報表示器１１０を重ねて冊子状に綴る装置側連結機構を構成し、孔部１１０ｈは、装置側連結機構に連結する表示器側連結機構を構成する。突出部１２１および孔部１１０ｈのいくつかを、専ら物理的、機械的係合構造を形成する構造部材として、電気的接続とは無関係に形成することもできる。導電性の部材を備えた突出部１２１は、制御装置側の導電接続部１２１Ｅを構成し、導電性の部材を備えた孔部１１０ｈは、情報表示器側の導通接続部を構成する。導電接続部１２１Ｅについては、詳細を後述する（図４参照）。
【００２５】
なお、図１に示す情報表示システム１００は、少なくとも表面が絶縁性の材料で形成された留め具１３０を備える。突出部１２１に孔部１１０ｈが挿通されることによって積層された情報表示器１１０は、絶縁性の留め具１３０によって、導電部分が形成された突出部１２１同士がリークしない状態で固定されている。
【００２６】
（２）制御装置の構成
図４には、図１のＹ−Ｙ線における断面図が示されている。なお、図４の例では、情報表示器１１０の各々の導通接続部（導電性の部材を備えた孔部１１０ｈ）が有する導電性の部材（電極ということもある）については省略されている点に留意すべきである。制御装置１２０は、複数の突出部１２１を備え、このうち導電性の部材を備えた複数の突出部（導電接続部１２１Ｅともいう）を介して、複数の情報表示器１１０に制御信号（画像信号および識別信号）を送信する。具体的に、制御装置１２０の複数の突出部１２１は、識別信号送信部１２３ｂ、１２３ｄ、１２３ｆ、１２３ｈ（以下、適宜、識別信号送信部１２３と示す）および導通接続部１２４ａ、１２４ｃ、１２４ｅ、１２４ｇ（以下、適宜、導通接続部１２４と示す）とで構成される導電接続部１２１Ｅと、導電性の部材を備えることを要しない係合部１２１Ｘと、を有する。なお、制御装置１２０の複数の突出部１２１の導電接続部１２１Ｅは、複数の情報表示器１１０に画像信号を送信する画像信号送信部１２２（図９参照）も有している。
【００２７】
識別信号送信部１２３（図４に示す例では、１２３ｂ、１２３ｄ、１２３ｆ、１２３ｈの４つの突出部）は、ＣＰＵから出力される識別信号をすべての情報表示器１１０に対して送信する。具体的に、識別信号送信部１２３は、画像信号に対応する所定画像に書き換えるべき情報表示器１１０を識別する識別信号を、複数の情報表示器１１０の全てに送信する。識別信号は、画像信号に対応して送信され、例えば、画像信号に含ませて、あるいは、画像信号とともに送信される。後述する装置側導通部分および装置側絶縁部分の配置パターンは、複数並んでいる導通接続部１２４（図４に示す例では、１２４ａ、１２４ｃ、１２４ｅ、１２４ｇの４つの突出部）の水平方向に形成される。
【００２８】
複数の導通接続部１２４のそれぞれには、情報表示器１１０の各々と電気的に接続される装置側導通部分と、電気的に絶縁する装置側絶縁部分とが、重ねられた各情報表示器１１０に対応する位置に形成されている。具体的に、複数の導通接続部１２４のそれぞれには、装置側絶縁部分として、絶縁部１２５が形成されている。
【００２９】
ここで、図５（ａ）には、導通接続部１２４ａの水平断面図（ＤＸ−ＤＹ平面）が示されており、図５（ｂ）には、導通接続部１２４ａに３枚の情報表示器１１０（＃１、＃２、＃３）が重ねられて接続された部分の垂直断面拡大図（ＤＹ−ＤＺ平面）が示されている。図５（ａ）、（ｂ）に示すように、導電接続部１２４ａには、情報表示器＃１と接続される高さ方向の位置に絶縁部分が形成されるとともに、情報表示器＃２および＃３と接続される高さ方向の位置に導通部分が形成されている。図４に示すように、複数の導通接続部１２４（１２４ａ、１２４ｃ、１２４ｅ、１２４ｇ）のそれぞれには、複数の情報表示器１１０（＃１〜＃１６）の各々の載置位置（高さ方向の位置）に対応付けられた絶縁部１２５が形成されている。
【００３０】
複数の情報表示器１１０（＃１〜＃１６）の各々に対応する装置側導通部分および装置側絶縁部分の配置パターンは、複数並んでいる導通接続部１２４（１２４ａ、１２４ｃ、１２４ｅ、１２４ｇ）のそれぞれにおいて同じ高さ方向の位置で水平方向に形成される。
【００３１】
絶縁部１２５が形成されている部分では、制御装置側の導通接続部１２４と情報表示器１１０側の導通接続部である孔部１１０ｈとは、電気的に非導通（絶縁）となる。一方、絶縁部１２５が形成されていない部分では、情報表示器１１０側の導通接続部である孔部１１０ｈと、制御装置１２０側の導通接続部１２４とが、導通接続部１２４の外周部で接触して、電気的に導通となる。このように、複数の導通接続部１２４それぞれの所定の高さ方向の位置に絶縁部１２５が形成されることによって、各情報表示器１１０に対応する装置側導通部分と装置側絶縁部分との配置パターンが、高さ方向の同じ位置の水平方向に形成されている。
【００３２】
本実施形態では、装置側導通部分と装置側絶縁部分との配置パターンは、複数の情報表示器１１０の各々で異なるように形成されている。具体的には、重ねた複数の情報表示器１１０の載置位置に応じて、配置パターンが異なるように形成されている。なお、情報表示器１１０の載置位置とは、導通接続部１２４の延びる方向（ＤＺ方向）において、重ねられた複数の情報表示器１１０の各々の位置を示し、ページ位置と言い換えることもできる。また、導通接続部１２４では、導通接続部１２４の並列に形成される方向（ＤＹ方向）に形成される装置側導通部分と装置側絶縁部分との配置パターンが、導通接続部１２４の延びる方向（ＤＺ方向）において、複数（図４に示す例では、１６個）形成されている。
【００３３】
例えば、図４に示す装置側導電接続部１２４のうち導電接続部１２４ａにおいては、図５（ｂ）に示すように、重ねられた複数の情報表示器１１０の内、１ページ目に当たる＃１情報表示器１１０の導電接続部（孔部）の電極１１７の露出部１１７ａが絶縁部１２５に接触するため、導通接続部１２４ａは、＃１情報表示器１１０に対しては装置側絶縁部分となる。一方、他の情報表示器１１０（＃２、＃３）の導電接続部（孔部）の電極１１７の露出部１１７ａは、絶縁部１２５が形成されていない導通接続部１２４ａに接触するため、導通接続部１２４ａは、＃２情報表示器１１０、＃３情報表示器１１０に対しては装置側導通部分となる。
【００３４】
このように、制御装置側の導電接続部１２１Ｅを構成する、画像信号送信部１２２、識別信号送信部１２３、導通接続部１２４のうち、導通接続部１２４では、装置側導通部分と装置絶縁部分とが形成されている。各導通接続部１２４（図４に示す例では、１２４ａ、１２４ｃ、１２４ｅ、１２４ｇの４つの突出部）において、絶縁部分が形成されている高さ方向の位置および絶縁部分の数は異なる。また、各導通接続部１２４（１２４ａ、１２４ｃ、１２４ｅ、１２４ｇ）が並んだときに高さ方向の同じ水平位置で形成される、装置側導通部分と装置絶縁部分の配置パターンが、すべて異なるように構成される。したがって、複数の情報表示器１１０の各々の載置位置、すなわち、ページ位置に応じて、装置側導通部分と装置絶縁部分の配置パターンが異なるように構成されている。
【００３５】
また、制御装置側の導電接続部１２１Ｅである識別信号送信部１２３は、上述した構成の配置パターンで配置した導電接続部１２４に隣接するように形成すると、接続される情報表示器における判定回路の形成領域をコンパクトにまとめられ、情報表示器の非表示領域（いわゆる額縁部分）を少なくできるので好ましい。制御装置側の導電接続部１２１Ｅに形成された識別信号送信部１２３は、重ねられた複数の情報表示器１１０のうち、所定画像を表示すべき情報表示器を識別する信号をすべての情報表示器１１０（図４に示す例では、＃１情報表示器〜＃１６情報表示器の１６個）に送信する。
【００３６】
制御装置側の導電接続部１２１Ｅを構成する、画像信号送信部１２２、識別信号送信部１２３、導通接続部１２４のうち、画像信号送信部１２２および識別信号送信部１２３は、導電性材料製の突出部であり、各突出部（図４に示す識別信号送信部の例では、１２３ｂ、１２３ｄ、１２３ｆ、１２３ｈの４つの突出部および不図示の画像信号送信部１２２）は、重ねられた複数の情報表示器１１０の各々に対応する高さ方向の位置すべてにおいて導通する接続部となる。上記したように、識別信号送信部１２３は、装置側導通部分と装置絶縁部分の配置パターンが形成された導通接続部１２４と隣接配置され、互いにペアとなるようにするのが好ましい。
【００３７】
制御装置側の導電接続部１２１Ｅである画像信号送信部１２２は、導電性材料製の突出部であり、上記識別信号送信部１２３と同様の導電性材料製とする。画像信号送信部１２２は、重ねられた複数の情報表示器１１０の各々に対応する高さ方向の位置すべてにおいて導通する接続部となる。
【００３８】
なお、制御装置側の導電接続部１２１Ｅを構成する、画像信号送信部１２２、識別信号送信部１２３、導通接続部１２４は、導電性材料で被覆された非導電性材料製の突出部であってもよい。この場合には、非導電性材料製の突出部の表面を被覆している導電性材料と、情報表示器側の孔部１１０ｈ（導通接続部）が備える導電性部材とで導通が取れるようになっていればよい。
【００３９】
また、制御装置側の導通接続部１２４に絶縁部１２５を形成する方法としては、導電材料製のピンの表面に絶縁膜コートを施した後、所定の領域の絶縁膜を研磨やエッチングなどの手法を用いて除去する方法や、所定の領域をマスクした後、絶縁材をスパッタリング、塗布、転写などの手法を用いて形成する方法などを用いることができる。
【００４０】
制御装置側の導通接続部１２４を、導電性材料で被覆された非導電性材料製の突出部とした場合には、被覆してある導電性材料を研磨やエッチングなどの手法を用いて除去する方法で絶縁部１２５を形成して、導通部分と絶縁部分とを備えた導通接続部１２４とすることもできる。
【００４１】
絶縁部１２５の厚さｔは、絶縁性が発揮されればよく、０．１μｍ〜１００μｍが好ましい。０．１μｍより薄いと破損して絶縁性が損なわれる虞があり、１００μｍより厚いと、制御装置１２０側の導通接続部１２４の導電部材に接触させたい情報表示器１１０側の導電接続部（孔部１１０ｈ）の電極露出部１１７ａが、制御装置１２０側の導通接続部１２４の導電部材に接触できなくなる虞があるためである。
【００４２】
制御装置側の導通接続部１２４を、導電性材料で被覆された非導電性材料製の突出部とした場合には、被覆してある導電性材料の厚さが、上記絶縁部１２５の厚さｔに対応することになるので、非導電性材料製の突出部を被覆してある導電性材料の厚さについても、上記絶縁部１２５の厚さｔと同様なことがいえる。
【００４３】
また、絶縁部１２５の幅Ｗ１は、複数の情報表示器１１０が冊子状に綴られた状態を考慮すると、情報表示器１１０の厚みＷ２と同等程度であることが好ましい。例えば、情報表示器１１０の厚みＷ２が７００μｍである場合には、絶縁部１２５の幅Ｗ１は、７００μｍ程度であることが好ましい。なお、絶縁部１２５の幅Ｗ１は、情報表示器１１０を構成する２つの基板、基板間のギャップ、ＩＣドライバ等のサイズを考慮して、適宜、最適な幅を決定すればよい。
【００４４】
係合部１２１Ｘは、情報表示器１１０の孔部（貫通孔）１１３１Ｘに挿入されて、複数の情報表示器１１０を束ねる機能を有する。なお、本実施形態では、複数の突出部１２１のうち、両端の突出部１２１を係合部１２１Ｘとして構成しているが、係合部１２１Ｘは、別の突出部１２１によって構成してもよいし、１個であってもよいし、３個以上であってもよい。また、突出部１２１は、係合部１２１Ｘを備えていなくてもよい。
【００４５】
（３）情報表示器の概略構成
図６は、情報表示器１１０を説明する平面図である。実施形態において、情報表示器１１０は、矩形状の薄いパネル型であって、電子ペーパーなどとして用いることができる。ここで言う矩形状は、ノート用紙などで一般的に知られている形状であり、角部が丸くカットされていたり、角部が少し直線的にカットされていたりすることを含む。情報表示器１１０には、情報が表示される情報表示領域１１０ａが形成されている。
【００４６】
図７は、図６に示す情報表示器１１０のＡ−Ａ線における断面図である。情報表示器１１０は、一対の基板（観察側基板１８１，背面側基板１８２）を備える。観察側基板１８１は、透明である。情報表示領域１１０ａは、観察側基板１８１に形成される。観察側基板１８１には、観察側電極（図６、図７には不図示）が形成されている。また、背面側基板１８２には、背面側電極１９２が形成されている。一対の表示用電極（観察側電極、背面側電極）が形成された一対の基板間には、所定の間隔（ギャップ）が形成されており、観察側電極と背面側電極との間には、表示媒体層１１５が配置されている。
【００４７】
図２の例では、各情報表示器の向きを揃えて、すなわち、各情報表示器の表示画面を上にして重ねている様子を示しているが、２枚の情報表示器の背面側を貼り合せ、表裏の両面に表示画面を備えた情報表示器としてもよい。
【００４８】
表示媒体層１１５は、帯電性粒子を含んだ粒子群が表示媒体として配置されている気体層（真空層を含む）または液体層であったり、コレステリック液晶層であったりする。いずれも表示メモリ性を備え、無給電状態でも表示させた所定画像を保持できる。実施形態では、表示媒体は、帯電性及び光学的反射率を有する少なくとも２種類の粒子群であり、例えば、負帯電性白色粒子又は正帯電性黒色粒子とされている。これらの帯電性粒子は、基板間に印加された電圧で形成された電界によって観察側電極に（または背面側電極）に向けて気体中（真空中を含む）または液体中を移動する。本実施形態では、背面側基板１８２は、情報表示領域１１０ａよりも広く形成されており、情報表示器１１０の骨格をなす。背面側基板１８２には、電極１１７を介して、駆動回路２００が配置されている。電極１１７及び駆動回路２００は、絶縁膜１１８によって被覆されている。
【００４９】
情報表示器１１０は、平面において、情報表示領域１１０ａの外側に複数の駆動回路２００ａ〜２００ｅを備える。駆動回路２００ａ〜２００ｅは、ドライバＩＣとも呼ばれるものであり、このドライバＩＣはＯＵＴＰＵＴ（情報表示領域１１０ａへの信号出力）を無効にする機能を備えており、観察側電極と背面側電極とに印加する電圧を制御することによって、情報表示領域１１０ａに所望の画像等の情報を表示させる。
【００５０】
本実施形態では、情報表示器１１０の複数の孔部（貫通孔）１１０ｈは、制御装置側の突出部１２１に係合する。制御装置側の突出部１２１のうち、導電接続部１２１Ｅ（画像信号送信部１２２、識別信号送信部１２３、導電接続部１２４）に対応する孔部１１０ｈは情報表示器１１０側の導電接続部を構成する。情報表示器１１０側の導電接続部は、駆動回路２００に接続する電極１１７の先端部において、孔の内部に露出した露出部１１７ａとして形成されている。制御装置側の識別信号送信部１２３に対応して、情報表示器１１０側には、識別信号を受信する識別信号受信部が形成される。この構成について、図９を用いて説明する。図９に示すように、情報表示器１１０側には、制御装置１２０側の突出部１２１の導電接続部１２１Ｅである識別信号送信部１２３ｂ、１２３ｄ、１２３ｆ、１２３ｈ、１２３ｊ、１２３ｌ（図中の黒丸印）に対応して識別信号を受信する識別信号受信部１１３１ｂ、１１３１ｄ、１１３１ｆ、１１３１ｈ、１１３１ｊ、１１３１ｌ（図中の黒丸印）が形成されている。また、情報表示器１１０側には、制御装置１２０側の突出部１２１の導電接続部１２１Ｅである導通接続部１２４ａ、１２４ｃ、１２４ｅ、１２４ｇ、１２４ｉ、１２４ｋ（図中の白丸印）と電気的に接続される導通接続部１１３１ａ、１１３１ｃ、１１３１ｅ、１１３１ｇ、１１３１ｉ、１１３１ｋ（図中の白丸印）が形成されている。
【００５１】
なお、情報表示器１１０側の導電接続部を構成する複数の孔部１１０ｈは、制御装置１２０の画像信号送信部１２２から送信される画像信号を受信する画像信号受信部１１２０も有している（図９参照）。また、情報表示器１１０の複数の孔部１１０ｈは、導通部分を有していない係合孔部（貫通孔）１１３１Ｘを、有する。（図６参照）
識別信号受信部１１３１ｂ、１１３１ｄ、１１３１ｆ、１１３１ｈ、１１３１ｊ、１１３１ｌは、識別信号を送信する制御装置１２０の識別信号送信部１２３ｂ、１２３ｄ、１２３ｆ、１２３ｈ、１２３ｊ、１２３ｌと電気的に接続することができる。
【００５２】
ここで、情報表示器１１０側の導通接続部１１３１ａ、１１３１ｂ、１１３１ｃ、１１３１ｄ、１１３１ｅ、１１３１ｆ、１１３１ｇ、１１３１ｈ、１１３１ｉ、１１３１ｊ、１１３１ｋ、１１３１ｌは、制御装置１２０側の導電接続部１２１Ｅに対応した導通接続部とする必要がある。情報表示器１１０側の導通接続部１１３１ａ〜１１３１ｌは同じ構造の導通接続部としてもよいし、異なる構造の導通接続部としてもよい。
【００５３】
図８は、情報表示器１１０の平面視において導電性の部材を備えた孔部１１０ｈ（導通接続部１１３１ａが形成された孔部）を拡大した拡大図である。情報表示器１１０の背面側（ここでは背面側基板１８２）に形成された孔部１１０ｈは、貫通されている。図８に示すように、電極１１７は、露出部１１７ａを有する。露出部１１７ａは、孔部１１０ｈの中心に向けて突出し、露出している。露出部１１７ａは、導電性の部材を備えた制御装置１２０側の突出部１２１（導電接続部１２１Ｅ）と接触することにより、情報表示器１１０と制御装置１２０とが電気的に導通可能になる。
【００５４】
導通部分を構成しない係合孔部１１３１Ｘは、制御装置の係合部１２１Ｘが挿入され、制御装置と情報表示器１１０とを物理的、機械的に接続するためのものである。なお、係合孔部１１３１Ｘは、導電性の部材を備えていない孔部とすることができるが、導電性の部材を備えた孔部とすることもできる。制御装置１２０の係合部１２１Ｘは、機械的係合にのみ用いる突出部であり、導電性の部材を備えていない突出部とすることができるが、導電性の部材を備えた突出部とすることもできる。なお、本実施形態では、複数の孔部１１０ｈのうち係合部に対応する両端の２つの孔部を係合孔部１１３１Ｘとするが、その位置及び数はこれに限定されない。
【００５５】
孔部の内側に露出した電極の露出部１１７ａは、制御装置側の導電接続部１２１Ｅとの接続部となる。この電極の露出部１１７ａは、制御装置側の導電接続部１２１Ｅである突出部１２１が挿入可能な円形孔、十文字形状をしたスリット孔、円形孔と十文字スリット孔を組合せた孔、円形孔と三方スリット孔を組合せた孔、複数のスリット孔を星型に集合させた孔、星型の孔を有する形状とする構成を例示できる。図８には、十字星形の孔を有する電極の露出部１１７ａが示されており、突出部１２１がこの孔に挿入されると電極の露出部１１７ａが撓み、突出部の挿入がなされるとともに、露出部１１７ａと突出部１２１の導電接続部１２１Ｅとの電気的接続がなされる。
【００５６】
（４）制御装置と情報表示器との接続回路構成および判定回路構成
図９は、本実施形態に係る情報表示器１１０と制御装置１２０との接続回路構成および判定回路構成を説明する回路図である。図９には、制御装置１２０と一つの情報表示器１１０との連結部分の回路構成の一部が示されている。図１０は、本実施形態に係る情報表示器１１０に配置される駆動回路２００ａ〜２００ｅと、駆動回路２００ａ〜２００ｅに接続される接続線を説明する図である。
【００５７】
制御装置１２０の導電性の部材を備えた突出部（導電接続部１２１Ｅ）のうち識別信号送信部１２３ｂ、１２３ｄ、１２３ｆ、１２３ｈ、１２３ｊ、１２３ｌ（図中の黒丸印）は、識別信号受信部１１３１ｂ、１１３１ｄ、１１３１ｆ、１１３１ｈ、１１３１ｊ、１１３１ｌ（図中の黒丸印）に物理的に接続するとともに、電気的に接続する。
【００５８】
制御装置１２０の導電性の部材を備えた突出部（導電接続部１２１Ｅ）のうち導通接続部１２４ａ、１２４ｃ、１２４ｅ、１２４ｇ、１２４ｉ、１２４ｋ（図中の白丸印）は、導通接続部１１３１ａ、１１３１ｃ、１１３１ｅ、１１３１ｇ、１１３１ｉ、１１３１ｋ（図中の白丸印）に物理的に接続するとともに、電気的に接続する。
【００５９】
但し、本実施形態では、制御装置１２０には、複数の導通接続部１２４において、絶縁部１２５を形成した導通接続部１２４（図９では導通接続部１２４ｃ）を有することで、１個の装置側絶縁部分と５個の装置側導通部分との配置パターンが構成される。例えば、制御装置１２０が導通接続部１２４を６個有する場合、１個から６個まで装置側絶縁部分を設けることができ、２６通りの配置パターンを得ることができる。つまり、制御装置１２０は、導通接続部１２４をＮ個有する場合、２Ｎ（２のＮ乗）通りの配置パターンを設けることができる。
【００６０】
この場合、情報表示器１１０では、制御装置１２０の導通接続部１２４ａ、１２４ｃ、１２４ｅ、１２４ｇ、１２４ｉ、１２４ｋに接続される情報表示器１１０側の導通接続部１１３１ａ、１１３１ｃ、１１３１ｅ、１１３１ｇ、１１３１ｈ、１１３１ｋと、駆動回路２００ａ〜２００ｅとの間に判定回路が形成される。図９に示した例では、１個の装置側絶縁部分（１２４ｃ）と５個の装置側導通部分（１２４ａ、１２４ｅ、１２４ｇ、１２４ｉ、１２４ｋ）との配置パターンが識別情報として形成され、情報表示器１１０の判定回路３１０において当該情報表示器１１０を識別するための識別情報となる。
【００６１】
なお、各情報表示器１１０に対応して制御装置１２０側の複数の導通接続部１２４の同じ高さ位置において水平方向に形成される装置側絶縁部分は、１つの情報表示器１１０あたり、１個設けてもよいし、複数個設けてもよい。また、情報表示システムが備える複数の情報表示器のうち１つの情報表示器に対応する前記水平方向には、絶縁部分が設けられていなくもよい。すなわち、各情報表示器１１０に対応して制御装置１２０側の複数の導通接続部１２４の同じ高さ位置において水平方向に形成される装置側絶縁部分と装置側導通部分との配置パターンは、複数の情報表示器の各々に対応する高さ位置における水平方向において、互いに異なるように構成されていればよい。
【００６２】
したがって、図９に示した情報表示器１１０と制御装置１２０とで構成する情報表示システムでは、２６枚（６４枚）の情報表示器１１０を識別できる識別情報を、２６通り（６４通り）の配置パターンで得ることができる。
【００６３】
情報表示器１１０が備える判定回路は、図９に示すように、識別信号受信部（１１３１ｂ、１１３１ｄ、１１３１ｆ、１１３１ｈ、１１３１ｊ、１１３１ｌ）および導通接続部（１１３１ａ、１１３１ｅ、１１３１ｇ、１１３１ｈ、１１３１ｋ）と、駆動回路２００ａ〜２００ｅとの間に、例えば、ＸＮＯＲ回路３１１、ＮＡＮＤ回路３１２を論理回路（この場合は一致回路となる）として備えた判定回路３１０として構成する。
【００６４】
判定回路３１０は、識別信号受信部１１３１ｂ、１１３１ｄ、１１３１ｆ、１１３１ｈ、１１３１ｊ、１１３１ｌを介して受信した識別信号と、制御装置１２０が有する装置側絶縁部分と装置側導通部分との配置パターンとの接続によって各情報表示器１１０に与えられる識別情報とを比較して一致するか一致しないかを判定する。
【００６５】
判定回路３１０の出力線は分岐されており、駆動回路２００ａ〜２００ｅの各々に接続されている。ここでは、判定回路３１０は、駆動回路２００ａ〜２００ｅのアウトプットイネーブル用ライン３２０ａ〜３２０ｅを介して、駆動回路２００ａ〜２００ｅに接続している。判定回路３１０は、上述した判定結果に応じて当該情報表示器が備える駆動回路２００ａ〜２００ｅのアウトプットイネーブル（ＯＵＴＰＵＴ−ＥＮＡＢＬＥ）を有効又は無効にすることによって、駆動回路２００ａ〜２００ｅと電気的に接続されるように構成されている。
【００６６】
なお、図９に示す例とは異なる回路配線にして、駆動回路２００ａ〜２００ｅのチップセレクト用ライン３２０ａ〜３２０ｅに接続するような構成にすることもでき、判定回路を構成する回路配線は、これに限定されるものではない。
【００６７】
なお、図９の例において、情報表示器１１０では、判定回路３１０は、ＸＮＯＲ回路３１１、ＮＡＮＤ回路３１２を備える構成を示しているが、別の論理回路を備える構成にすることもできる。また、情報表示器１１０が備える判定回路３１０は、当該情報表示器を特定する情報、例えばページ番号を記憶させたＩＣチップ（メモリ）を設けて、制御装置１２０から画像信号とともに送信された識別信号と、ＩＣチップに記憶されるページ番号情報とを比較して、一致か不一致かを判定するような構成にすることもできる。
【００６８】
この場合、制御装置１２０が有する装置側絶縁部分と装置側導通部分との配置パターンを、各情報表示器１１０の識別情報として利用しないことになる。上記したようなページ番号を記憶させたＩＣチップ（メモリ）を設けた情報表示器は、構成が複雑になるとともに余分なＩＣチップが必要となるためコスト高になる。
【００６９】
それに対して、本発明に係る制御装置１２０が有する装置側絶縁部分と装置側導通部分との配置パターンを、各情報表示器の識別情報として情報表示器の判定回路に取り込む情報表示システムでは、図９に示したように、記憶部を備えるよりも回路構成が簡単であるとともに、高価なＩＣチップを要しないことで安価にできるという利点がある。
【００７０】
（５）情報表示システムの処理
図１１は、情報表示システム１００における処理を説明するフローチャートである。図１１を参照して、情報表示システム１００の処理動作について説明する。具体的には、制御装置１２０が複数の情報表示器１１０の内の一の情報表示器１１０に画像を表示する処理について説明する。
【００７１】
なお、以下に示す具体例では、１つの制御装置１２０に、図９に示した構成の情報表示器１１０が６４枚綴じられており、２ページ目にあたる＃２情報表示器に画像信号に対応した所定の画像を表示する場合を例に挙げて説明する。よって、制御装置のＣＰＵから２ページ目の＃２情報表示器に表示する画像データの画像信号であることを示すための識別信号を含む制御信号を送信し、２ページ目の情報表示器に対して画像信号に対応する所定画像を表示させる。識別信号は、画像信号とともに送信することもできる。
【００７２】
ステップ１において、制御装置１２０は、＃２情報表示器の表示を書き換えることを示すための識別信号を含む制御信号を綴じられたすべての情報表示器１１０に対して送信する。したがって、上記制御信号は、識別信号と＃２情報表示器に表示すべき画像データの画像信号とを含む。＃２情報表示器に表示すべき画像データの画像信号とともに、＃２情報表示器を識別するための識別信号を送信するようにしてもよい。具体的には、上記制御信号は、制御装置側の導電接続部１２１Ｅから送信され、情報表示器側の導通接続部で受信される。画像データの画像信号は、画像信号送信部１２２から情報表示器１１０に対して送信され、識別信号は、識別信号送信部１２３から情報表示器１１０に対して送信される。
【００７３】
ここで、制御装置１２０では、＃２情報表示器に接続する導通接続部１２４ａ、１２４ｅ、１２４ｇ、１２４ｉ、１２４ｋは導通部分となっており、情報表示器１１０と導通しているが、＃２情報表示器に接続する導通接続部１２４ｃは、絶縁部１２５が形成されることによって絶縁部分となっており、情報表示器１１０と絶縁している。＃２情報表示器の表示を書き換えることを示すための識別信号を含む制御信号は、すべての情報表示器１１０に送信される。つまり、＃２情報表示器の表示を書き換えることを示すための識別信号は、＃２情報表示器以外の他の情報表示器にも識別信号送信部（１２３ｂ、１２３ｄ、１２３ｆ、１２３ｈ、１２３ｊ、１２３ｌ）から識別信号受信部（１１３１ｂ、１１３１ｄ、１１３１ｆ、１１３１ｈ、１１３１ｊ、１１３１ｌ）に送信され、各情報表示器が備える判定回路３１０に入る。
【００７４】
また、＃２情報表示器以外の情報表示器が接続している導通接続部１２４ａ、１２４ｃ、１２４ｅ、１２４ｇ、１２４ｉ、１２４ｋにおける絶縁部分と導通部分との配置パターンは、図９に示した＃２情報表示器が接続している導通接続部１２４ａ、１２４ｃ、１２４ｅ、１２４ｇ、１２４ｉ、１２４ｋにおける絶縁部分と導通部分との配置パターンとは異なる配置パターンとなっており、各情報表示器に対応する識別情報を形成している。したがって、制御装置に接続された各情報表示器の判定回路３１０は、それぞれ異なる識別情報を持つことになる。
【００７５】
ステップ２１において、各情報表示器は、識別信号受信部１１３１ｂ、１１３１ｄ、１１３１ｆ、１１３１ｈ、１１３１ｊ、１１３１ｌで受信した識別信号と、各情報表示器に与えられた識別情報とを比較して、一致しているか一致していないかを判定する。
【００７６】
具体的には、制御装置１２０の識別信号送信部１２３ｂ、１２３ｄ、１２３ｆ、１２３ｈ、１２３ｊ、１２３ｌから情報表示器１１０側の判定回路３１０に、表示を書き換えるべき２ページ目の情報表示器１１０を識別する識別信号（例えば、「０１００００」）が６４枚全ての情報表示器１１０に対して送信される。＃２情報表示器は、識別信号受信部１１３１ｂ、１１３１ｆ、１１３１ｈ、１１３１ｊ、１１３１ｌの出力が「０」となる。一方、識別信号受信部１１３１ｄの出力が「１」となる。
【００７７】
また、導通接続部１１３１ａ、１１３１ｅ、１１３１ｇ、１１３１ｉ、１１３１ｋの出力は、導通接続部の導通部分１２４ａ、１２４ｅ、１２４ｇ、１２４ｉ、１２４ｋを介して接地されて、「０」となる。一方、絶縁部分である導通接続部１２４ｃに接続する導通接続部１１３１ｃは、接地されないため「１」が出力される。
【００７８】
また、＃２情報表示器１１０では、判定回路３１０のＸＮＯＲ回路３１１の出力側の真理値は、「１１１１１１」となる。全てのＸＮＯＲ回路３１１の出力が「１」となり、ＮＡＮＤ回路３１２の出力は「０」となる。すなわち、＃２情報表示器においては、＃２情報表示器の識別情報と受信した識別信号とが一致する（ステップ２１：ＹＥＳ）。
【００７９】
よって、スイッチ３５０がオフ（ＯＦＦ）となって（ステップ３１）、駆動回路２００ａ〜２００ｅのアウトプットイネーブル（ＯＵＴＰＵＴ−ＥＮＡＢＬＥ）が有効となり（ステップ４１）、駆動回路２００ａ〜２００ｅから＃２情報表示器の情報表示領域１１０ａへ画像データが出力される（ステップ５１）。このようして、＃２情報表示器の書き換えが実行される（ステップ６１）。
【００８０】
一方、他のページである情報表示器、例えば、１ページ目にあたる＃１情報表示器は、導通接続部１１３１ａに対応する導通接続部１２４ａに絶縁部１２５が形成されている。ステップ１において、制御装置１２０が、＃１情報表示器に対して、２ページ目に表示する画像データの画像信号と、その画像データが、２ページ目の情報表示器に表示するものであることを示すための識別信号とを送信しているので、＃１情報表示器の識別信号受信部１１３１ｂ、１１３１ｄ、１１３１ｆ、１１３１ｈ、１１３１ｊ、１１３１ｌにも識別信号「０１００００」が送信される。＃１情報表示器は、この識別信号と、導通接続部１１３１ａ、１１３１ｃ、１１３１ｅ、１１３１ｇ、１１３１ｉ、１１３１ｋを介して＃１情報表示器に与えられた識別情報とを比較して、一致しているか否かを判定する。
【００８１】
具体的には、制御装置１２０の識別信号送信部１２３ｂ、１２３ｄ、１２３ｆ、１２３ｈ、１２３ｊ、１２３ｌから＃１情報表示器１１０側の判定回路３１０に、２ページ目に表示すべき画像データの画像信号であることを示す識別信号（「０１００００」）が送信される。＃１情報表示器でも、識別信号受信部１１３１ｂ、１１３１ｆ、１１３１ｈ、１１３１ｊ、１１３１ｌの出力は、「０」となる。一方、識別信号受信部１１３１ｄの出力は、「１」となる。
【００８２】
また、導通接続部１１３１ｃ、１１３１ｅ、１１３１ｇ、１１３１ｉ、１１３１ｋの出力は、導通接続部の導通部分１２４ｃ、１２４ｅ、１２４ｇ、１２４ｉ、１２４ｋを介して接地されて、「０」となる。一方、絶縁部１２５が形成された導通接続部の絶縁部分１２４ａに接続する導通接続部１１３１ａは、接地されないため「１」が出力される。よって、＃１情報表示器１１０では、判定回路３１０のＸＮＯＲ回路３１１の出力側の真理値は、「００１１１１」となる。全てのＸＮＯＲ回路３１１の出力が「１」とならないため、ＮＡＮＤ回路３１２の出力は「１」となる。すなわち、＃１情報表示器においては、＃１情報表示器の識別情報と識別信号とが一致しない（ステップ２１：ＮＯ）。
【００８３】
よって、スイッチ３５０がオン（ＯＮ）となって（ステップ３２）、駆動回路２００ａ〜２００ｅのアウトプットイネーブル（ＯＵＴＰＵＴ−ＥＮＡＢＬＥ）が無効となり（ステップ４２）、駆動回路２００ａ〜２００ｅから情報表示器の情報表示領域１１０ａへ画像データが出力されない(ステップ５２)。つまり、＃１情報表示器の書き換えが実行されない（ステップ６２）。
【００８４】
なお、ここでは、１ページ目にあたる＃１情報表示器を例に挙げて説明しているが、＃２情報表示器以外の他の情報表示器も同様に書き換えが実行されない。
【００８５】
このように、情報表示システム１００では、識別信号受信部１１３１ｂ、１１３１ｄ、１１３１ｆ、１１３１ｈ、１１３１ｊ、１１３１ｌで受信した識別信号と、情報表示器１１０側の導通接続部１１３１ａ、１１３１ｃ、１１３１ｅ、１１３１ｇ、１１３１ｈ、１１３１ｋと制御装置１２０側の導通接続部１２４ａ、１２４ｃ、１２４ｅ、１２４ｇ、１２４ｈ、１２４ｋとの接続によって形成される装置側導通部分と装置側絶縁部分との配置パターンで形成され、情報表示器ごとに与えられた識別情報とを比較して一致しているか一致していないかを判定する判定回路３１０を備えており、識別情報と識別信号とが一致した情報表示器１１０の情報表示領域１１０ａに、駆動回路２００ａ〜２００ｅから画像データが出力される。つまり、所定画像に書き換えるべき情報表示器１１０を特定して、制御信号が含む識別信号、すなわち、画像信号とともに送信した識別信号に一致した情報表示器１１０にだけ、この画像信号に対応する画像データが出力されて、画像データに基づいた所定画像が表示される。
【００８６】
なお、上述の例では、情報表示システム１００において、制御装置１２０が、一つの情報表示器１１０（＃２情報表示器）に表示する所定画像を書き換える場合を例に挙げて説明したが、情報表示システム１００は、上述したステップＳ１乃至６１の処理を繰り返すことによって、複数の情報表示器１１０のそれぞれに表示すべき所定画像を順次書き換えて表示することも可能である。具体的に、制御装置１２０では、複数の情報表示器１１０に対して、それぞれの情報表示器１１０に表示すべき所定画像に対応する画像信号を、それぞれの情報表示器を識別するための識別信号とともに順次送信する。制御装置１２０から情報表示器１１０に送信する制御信号は、画像信号と識別信号とで構成されていてもよいし、識別信号を含む画像信号として構成されていてもよい。一方、複数の情報表示器１１０のそれぞれは、制御装置１２０から送信された画像信号と識別信号とを受信するとともに、制御装置１２０側に形成された導通部分と絶縁部分との配置パターンに基づく識別情報が、各情報表示器が備える判定回路に与えられ、この識別情報と識別信号とに基づいて、当該画像信号に対応する画像を自身に表示するか否かを決定した後、表示すると決定した場合には、当該画像信号に対応する画像データが駆動回路２００から出力されて、当該画像データに基づく所定画像を表示する。この動作は、複数の情報表示器１１０のそれぞれにおいて順次実行される。
【００８７】
なお、情報表示システム１００は、複数の情報表示器１１０のそれぞれを書き換える際、ページ番号順（載置位置の順番）に書き換えることも可能であるし、ランダムに書き換えることも可能である。
【００８８】
また、上記実施形態で示した判定回路の構成は一例である。上記実施形態ではＸＮＯＲおよびＮＡＮＤの論理回路で比較するように構成されているが、例えば、ＣＰＵ端子からの入力を一度シフトレジスタで受ける方法等も考えられる。このように、制御装置１２０から受信した識別信号と、制御装置１２０との接続によって各情報表示器１１０に与えられた識別情報とを比較して、一致しているか一致していないかを検出して判定する回路は、本発明の実施形態に記載した論理回路（ＸＮＯＲ、ＮＡＮＤ）に限定されるものではなく、他の論理回路やメモリ回路など一般的に用いられる電子回路とすることもできる。
【００８９】
（６）作用・効果
実施形態として示す情報表示システム１００では、制御装置１２０に形成される複数の突出部１２１は、複数の情報表示器１１０を重ねて冊子状に綴るとともに、複数の情報表示器１１０の各々と連結する装置側連結機構を構成する。
【００９０】
また、突出部１２１のうち導電性の部材を備えた突出部１２１（導電接続部１２１Ｅ）のいくつかは、情報表示器１１０を制御する制御信号を送信する送信部を構成している。具体的には、導電接続部１２１Ｅのいくつかは、画像信号を送信する画像信号送信部１２２と、当該画像信号に対応する所定画像に書き換えるべき情報表示器１１０を識別する識別信号を送信する識別信号送信部１２３と、接続された情報表示器１１０において当該情報表示器を特定するための識別情報となる、装置側導通部分と装置側絶縁部分との配置パターンを形成する導通接続部１２４とを構成する。
【００９１】
ここで、導通接続部１２４の中には、絶縁部１２５が形成された導通接続部１２４が含まれており、導通接続部１２４は、装置側導通部分と装置側絶縁部分とを有する。この導通接続部１２４が複数並べられたときに形成される装置側導通部分と装置側絶縁部分との配置パターンによって識別情報が形成され、この識別情報が情報表示器１１０に与えられる。具体的に、複数の情報表示器１１０が重ねられたときの位置に形成された識別情報が、対応する位置に接続された情報表示器１１０の各々に対して与えられる。この配置パターンは、複数の情報表示器１１０の各々が接続された位置に対応して異なるように形成され、複数の情報表示器１１０の各々に対して、それぞれ異なる識別情報として与えられる。よって、制御装置１２０は、配置パターンに対応する位置にある情報表示器１１０を、識別信号を用いて指定できる。
【００９２】
また、情報表示器１１０では、判定回路３１０は、識別信号受信部１１３１ｂ、１１３１ｄ、１１３１ｆ、１１３１ｈ、１１３１ｊ、１１３１ｌで受信した識別信号と、導通接続部１１３１ａ、１１３１ｃ、１１３１ｅ、１１３１ｇ、１１３１ｈ、１１３１ｋを介して与えられた識別情報とを比較して、一致しているか否かを判定し、これらが一致した情報表示器１１０に対してだけ駆動回路２００ａ〜２００ｅのアウトプットイネーブルが有効になり、画像信号に対応する画像データを出力して所定画像の表示を実行する。
【００９３】
このように、情報表示システム１００では、制御装置１２０が、識別信号を複数の情報表示器１１０の各々に送信することで、識別信号および識別情報によって識別される情報表示器１１０にだけ、所定画像を表示させることができる。つまり、制御装置１２０は、「ページ」を構成する複数の情報表示器１１０が見開き状態か否かに関わらず、複数の情報表示器１１０を重ねて冊子状に綴った状態であっても、複数の情報表示器１１０の各々を個別に識別できるとともに、画像信号に応じた所定画像に表示を書き換えるべき情報表示器１１０に所定画像を表示させることができる。
【００９４】
更に、制御装置１２０では、導通接続部１２４に装置側導通部分と装置側絶縁部分とが形成されているので、情報表示器１１０では、導通接続部の全てを導通部分として形成しておくだけで、制御装置１２０に接続された複数の情報表示器１１０のそれぞれに対して、それぞれを特定する識別情報を与えることができる。したがって、各情報表示器１１０の導電接続部１２１Ｅの構成は同じであっても、各情報表示器１１０の判定回路３１０には、各情報表示器１１０を特定する識別情報を取り込むことができるので、情報表示器１１０の共通化を図ることが可能になる。
【００９５】
（７）連結機構の変形例
（７−１）変形例１
上述した実施形態では、制御装置側連結機構（装置側連結機構ともいう）は、突出部１２１であり、情報表示器側連結機構（表示器側連結機構ともいう）は、孔部１１０ｈである場合を例に挙げて説明したが、装置側連結機構と表示器側連結機構との形態は変更可能である。
【００９６】
図１２（ａ）乃至（ｂ）は、装置側連結機構の変形例を説明する図である。図１２（ａ）乃至（ｂ）に示すように、留め具１３０が設けられる替わりに、外装体Ｃに湾曲部材１４０が取り付けられている。湾曲部材１４０の一方の端部１４０ａは、外装体Ｃに取り付けられている。また、湾曲部材１４０の他方の端部１４０ｂは、突出部１２１の固定されていない端部１２１ｆに当接されている。すなわち、湾曲部材１４０と突出部１２１とによって閉じられた環状構造が形成される。
【００９７】
導通接続部１２４とする突出部１２１の所定の位置に絶縁部１３５を設けて、装置側導通部分と装置側絶縁部分との配置パターンを形成する。
【００９８】
湾曲部材１４０は、端部１４０ｂと突出部１２１の端部１２１ｆとが離間する方向に可動自在に構成されており、突出部１２１に挿通された情報表示器１１０は、リング（湾曲部材１４０と突出部１２１とによって閉じられた環状構造）から取り外すことができる。
【００９９】
湾曲部材１４０は、導電性の材料で形成することができる。これにより、図１２（ａ）に示すように、突出部１２１の所定の位置にだけ絶縁部１３５を設けて、装置側導通部分と装置側絶縁部分との配置パターンを形成するようにしたり、図１２（ｂ）に示すように、湾曲部材１４０の湾曲部分以外の部分（１２１_２）を、突出部１２１（１２１_１）と同構造の導通接続部１２４とした構成にしたりする。図１２（ｂ）に示した例では、情報表示器１１０を、図１２（ｂ）における右側から左側に移動させた状態で、左側に位置する情報表示器１１０に情報を表示させる処理を行うこともできるし、図１２（ｂ）における左側から右側に移動させた状態で、右側に位置する情報表示器１１０に情報を表示させる処理を行うこともできる。絶縁部１３５の形成位置は、突出部１２１_１と１２１_２とで対応するようにすることもできるし、全く無関係にすることもできるが、接続された複数の情報表示器１１０に対して付与される、導通部分と絶縁部分との配置パターンが異なるようにする。
【０１００】
（７−２）変形例２
図１３は、装置側連結機構の別の変形例を説明する図である。図１３に示すように、湾曲部材１４０の一方の端部１４０ａは、回動機構１５０を介して外装体Ｃに取り付けられている。湾曲部材１４０は、回動機構１５０によって、図１３の矢印方向に回動することにより、端部１４０ｂと端部１２１ｆとが離間する。図１２（ｂ）に示した例と同じように、湾曲部材１４０の湾曲部分以外の部分（１２１_２）を、突出部１２１（１２１_１）と同構造の導通接続部１２４とした構成にしているが、図１２（ａ）に示した例と同じように、突出部１２１（１２１_１）だけを導通接続部１２４としてもよい。すべての突出部１２１_２の表面すべてに絶縁部１３５を設けて、図１３の左側に移動させた情報表示器１１０には導通接続が形成されないようにすることもできる。この場合、右側にある情報表示器の中からだけ情報表示器を特定して表示を書き換えることができるので、予備の情報表示器を、左側に保持して故障した情報表示器の交換用として同じ情報表示システムに綴じておくことができる。
【０１０１】
（８）情報表示器の具体的構成例
図１４乃至１６を参照して、情報表示器の具体的構成について説明する。図１４は、本実施形態に係る情報表示システム１００及びこれに適用可能な情報表示器１１０の具体的構成を説明する斜視図である。図１５は、情報表示システム１００の機能ブロック構成図である。図１６は、情報表示器１１０の一部分解斜視図である。
【０１０２】
図１４に示すように、情報表示器１１０は、一対の電極（観察側電極１９１，背面側電極１９２）と、一対の基板（観察側基板１８１，背面側基板１８２）とを備える。一対の基板間には、ギャップ確保用隔壁１１９ａ（不図示）及び粒子偏在抑制用隔壁１１９ｂ（不図示）とが設けられる。図１６においては、ギャップ確保用隔壁と粒子偏在抑制用隔壁とを兼用する隔壁としてギャップ確保用隔壁を示している。
【０１０３】
また、情報表示器１１０は、電極を介して、電気的に駆動する表示メモリ性を有する表示媒体１１６を配置した表示媒体層１１５を備える。情報表示器１１０は、さらに駆動回路２００ａ〜２００ｅを備え、駆動回路２００ａ〜２００ｅによる制御に基づいて、情報表示器１１０の情報表示領域１１０ａに所望の情報を画像として表示する。
【０１０４】
観察側基板１８１は、情報表示領域１１０ａ側、つまり、観察される側に配置される少なくとも情報表示領域１１０ａが透明な基板である。背面側基板１８２は、観察側基板１８１と対向し、情報表示器１１０の背面１１０ｂ側に設けられる。観察側基板１８１及び背面側基板１８２は、一対の電極（観察側電極１９１，背面側電極１９２）の外側に設けられる。なお、観察側基板１８１及び背面側基板１８２の厚みは、２５μｍ〜２０００μｍが好ましく、より好ましくは、２５μｍ〜５００μｍであり、さらに好ましくは、２５μｍ〜２００μｍである。
【０１０５】
観察側基板１８１及び背面側基板１８２の材料としては、ポリエチレンテレフタレート（ＰＥＴ）、ポリエチレンナフタレート（ＰＥＮ）、ポリエーテルサルフォン（ＰＥＳ）、ポリエチレン、ポリカーボネート、ポリイミド、アクリル樹脂などのプラスチック材料や、ガラス、石英、硬質プラスチック、ガラス繊維補強プラスチック、カーボン繊維補強プラスチックなどが挙げられる。
【０１０６】
ポリエチレンテレフタレート、ポリエチレンナフタレートをはじめ、上述したプラスチック材料は可撓性を有するため、情報表示器１１０に可撓性を持たせる場合には、観察側基板１８１及び背面側基板１８２を形成する材料として好ましい。ここで、本発明に係る情報表示器１１０の情報表示領域１１０ａにおいては、観察側基板１８１及び背面側基板１８２は、情報表示システム全体を軽量で薄型にするためできるだけ薄くしたいが、製造時のハンドリングの点を考慮して、それぞれの厚みは２５μｍ以上とされている。
【０１０７】
また、観察側基板１８１及び背面側基板１８２を形成する材料としてガラスを使用した場合には、２００μｍ以下の厚みとすれば可撓性を有するため、情報表示器１１０に可撓性を持たせる場合には好ましい。さらには、アルミニウム、銅、ニッケルや、これらの合金、ステンレスなどの金属材料も可撓性を有するため、情報表示器１１０に可撓性を持たせる場合には、観察側基板１８１及び背面側基板１８２の材料として使用することができるが、基板に形成する電極間で漏電することを防ぐために表面を絶縁体の膜やシートで被覆する必要がある。
【０１０８】
背面側基板１８２は、必ずしも透明でなくてもよいため、上述した材料のなかから透明でないものを選択して用いることができる。
【０１０９】
観察側電極１９１は、情報表示領域１１０ａ側、つまり、観察される側に配置される透明な電極である。背面側電極１９２は、観察側電極１９１と対向し、情報表示器１１０の背面１１０ｂ側に設けられる。背面側電極１９２は、必ずしも透明でなくてもよい。観察側電極１９１及び背面側電極１９２を構成する導電性材料としては、（ｉ）酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物(ＡＴＯ)、導電性酸化錫、導電性酸化亜鉛などの導電金属酸化物類、（ｉｉ）ポリアニリン、ポリビロール、ポリチオフェン（例えば、ＰＥＤＯＴ：ＰＳＳ）などの導電性高分子化合物類（導電性ポリマー）、（ｉｉｉ）金、銀、銅、アルミニウム、ニッケル、クロムなどの金属、（ｉｖ）これらの金属を主成分とする合金が挙げられる。
【０１１０】
観察側電極１９１及び背面側電極１９２の形成方法としては、上述した導電性材料をスパッタリング法、真空蒸着法、ＣＶＤ（化学蒸着）法、塗布法などで薄膜状に形成する方法や、金属箔（例えば、圧延銅箔）をラミネートする方法、導電剤を溶媒や合成樹脂バインダーに混合して塗布する方法を用いることができる。なお、観察側電極１９１及び背面側電極１９２の厚みは、導電性が確保できればよく、０．０１μｍ〜１０μｍが好ましく、０．０５μｍ〜５μｍがより好ましい。なお、ＩＴＯなどの金属酸化物系の導電性材料は、金属材料に比べて可撓性が小さいため、これら金属酸化物系の導電性材料を用いて観察側電極１９１及び背面側電極１９２を構成する場合には、断線防止のため、可撓性に優れる銅、アルミニウム、ニッケルや、これらの合金などの金属細線を併用することが好ましい。
【０１１１】
図１６に示すように、ギャップ確保用隔壁１１９ａは、一対の基板間に設けられ、一対の基板間のギャップを確保するために設けられる。また、ギャップ確保用隔壁１１９ａは、情報表示領域１１０ａにおいては、一対の基板間に配置した表示媒体１１６が後述するセル１３２内において偏ることを抑制する粒子偏在抑制用隔壁１１９ｂとしても機能する。従って、以下の説明において、ギャップ確保用隔壁が粒子偏在抑制用隔壁も兼ねる場合、すなわち同一の構成である場合には、ギャップ確保用隔壁と表現する。隔壁がギャップ確保機能を有しないで粒子偏在抑制機能だけを有し、ギャップ確保用隔壁と異なる構成の場合は、粒子偏在抑制用隔壁と表現する。
【０１１２】
ギャップ確保用隔壁１１９ａの形成材料としては、レジスト材を用いることができ、例えば、アルフォＮＩＴ２（ニチゴーモートン社製）やＰＤＦ３００（新日鐵化学社製）などのドライフィルムレジスト材が挙げられる。また、ギャップ確保用隔壁１１９ａは、例えば、一方の基板上にドライフィルムレジスト材を積層した後、フォトリソグラフィー技術を用いて格子状またはハニカム状の隔壁に形成され、全ての隔壁上面と他方の基板とが接合されることによって、一対の基板の双方に接合されている。本実施形態では、ギャップ確保用隔壁１１９ａは、観察側基板１８１に形成された後、背面側基板１８２に接合されている。なお、ギャップ確保用隔壁１１９ａを、背面側基板１８２に形成した後、観察側基板１８１に接合することもできる。
【０１１３】
ギャップ確保用隔壁１１９ａは、ギャップに対応する厚みを有するとともに、表示媒体１１６を収納するための凹部が形成されているシート部材としたり、またはシートを貫通する孔部が形成されているシート部材としたりすることもできる。この場合、シートを一対の基板間に挟むように配置した後、シートの両面とそれぞれの基板とを接合することによって、ギャップ確保用隔壁１１９ａは形成される。
【０１１４】
表示媒体１１６は、観察側電極１９１と背面側電極１９２との間に配置され、好ましくは封入される。表示媒体１１６は、電極を介して電気的に観察側電極１９１と背面側電極１９２との間で駆動する。本実施形態では、表示媒体１１６は、負帯電性白色粒子を含んだ粒子群と正帯電性黒色粒子を含んだ粒子群、すなわち、帯電極性及び光学的反射率が異なる二種類の粒子群で構成され、電極を介して形成される電界によってそれぞれ反対の基板側（電極側）に移動する。表示媒体１１６の詳細については、後述する。
【０１１５】
図１５に示すように、情報表示器１１０は、少なくともアウトプットを無効にする機能を有するとともに情報表示部を駆動させる機能を有する駆動回路２００ａ〜２００ｅを備えており、情報表示器１１０には、制御装置のＣＰＵ２０、グラフィックコントローラ３０が接続される。
【０１１６】
ＣＰＵ２０は、所定のフォーマットに従った情報の画像信号をグラフィックコントローラ３０に出力する。グラフィックコントローラ３０は、ＣＰＵ２０から出力された画像信号に基づいて駆動回路２００ａ〜２００ｅを制御する。具体的には、ＣＰＵ２０は、画像信号と識別信号とを含んだ制御信号を出力する。駆動回路２００ａ〜２００ｅは、ＣＰＵ２０およびグラフィックコントローラ３０を介した制御に基づいた制御信号に従って画像データを出力して、観察側電極１９１及び背面側電極１９２に所定の電圧を印加する。
【０１１７】
本実施形態では、観察側電極１９１及び背面側電極１９２は、複数のストライプ電極によって構成される。観察側電極１９１と背面側電極１９２とは、互いに直交するように設けられる。なお、観察側電極１９１と背面側電極１９２とは交差していればよく、直交することに限られない。このようなストライプ電極を用いた観察側電極１９１と背面側電極１９２の制御方法としては、公知の方法（例えば、特開２００８−２６８６５０号公報参照）を用いることができる。なお、図１５の例では、観察側基板１８１、背面側基板１８２及び表示媒体１１６は省略されている。
【０１１８】
図１６に示すように、ギャップ確保用隔壁１１９ａは、複数のセル１３２を形成する。セル１３２のそれぞれには、表示媒体１１６が配置、好ましくは、封入される。ギャップ確保用隔壁１１９ａは、上述したように、観察側電極１９１と背面側電極１９２との間に配置される。
【０１１９】
離隔して設けられた観察側電極１９１と背面側電極１９２との間に形成された空間の外側、つまり、ギャップ確保用隔壁１１９ａの情報表示領域１１０ａ側及び背面１１０ｂ側には、観察側基板１８１と背面側基板１８２とが設けられる。具体的には、ギャップ確保用隔壁１１９ａの情報表示領域１１０ａ側には観察側基板１８１が設けられ、背面１１０ｂ側には背面側基板１８２が設けられる。
【０１２０】
図１６に示すセル１３２は、情報表示器１１０の平面視において、略四角形であり、ギャップ確保用隔壁１１９ａの縦方向及び横方向に連続して形成される。本実施形態では、セル１３２は、縦方向及び横方向に延在する直線状のギャップ確保用隔壁１１９ａによってマトリックス状に形成される。セル１３２は、六角形にしてハニカム構造で配置することもできる。
【０１２１】
本実施形態では、図１６に示すように、表示媒体１１６は、表示媒体１５１と表示媒体１５２とを含む。表示媒体１５１は、黒色の正帯電性粒子を含む粒子群である。表示媒体１５２は、白色の負帯電性粒子を含む粒子群である。表示媒体１５１及び表示媒体１５２の二種類の表示媒体が、それぞれのセル１３２に配置される。
【０１２２】
表示媒体１５１とする黒色粒子群は、次のように製造することができる。（ｉ）メチルメタクリレートモノマー（関東化学試薬）６０質量部、及び１分子中に重合反応基を複数持つ多官能性モノマーとしてエチレングリコールジメタクリレート（和光純薬試薬）４０質量部（約２５ｍｏｌ％）に、正帯電の荷電制御剤としてニグロシン化合物（ポントロンＮｏ７：オリエント化学製）３質量部、及び黒色顔料として、カーボンブラック（スペシャルブラック：デグッサ製）５質量部をサンドミルにより分散させ、（アクリル系及びメタクリル系樹脂）−炭化水素系樹脂ブロックコポリマー（モディバーＦ６００：日本油脂製）５質量部を溶解させる。（ｉｉ）２重量部のラウリルパーオキサイド（パーロイルL：日本油脂製）を溶解させた液を、界面活性剤としてポリオキシエチレンアルキルエーテル硫酸ナトリウム（ラテムルＥ−１１８Ｂ：花王製）を０．５質量％添加した精製水に（ｉ）の生成物を懸濁、重合させ、濾過、乾燥させる。（ｉｉｉ）分級機（ＭＤＳ−２：日本ニューマチック工業性）を用いて（ii）の生成物を分級して平均粒子径１０μｍ程度の正帯電性の黒色粒子を得る。この黒色粒子にシリカ微小粒子（Ｗａｃｋｅｒ社製  Ｈ３０５０ＶＰ）を外添して付着させることによって、黒色表示媒体とする黒色粒子群を得る。
【０１２３】
また、表示媒体１５２とする白色粒子群は、次のように製造することができる。（ｉ）ポリメチルペンテンポリマー（ＴＰＸ−Ｒ１８：三井化学社製）１００質量部と、着色剤として二酸化チタン（タイペークＣＲ−９０：石原産業社製）１００質量部と、負帯電の荷電制御剤としてフェノール系縮合物（ポントロンＥ８９：オリエント化学製）５質量部とを、二軸混練機により溶融混練する。（ｉｉ）ジェットミル（ラボジェットミルＩＤＳ−ＬＪ型：日本ニューマチック工業製）で（ｉ）の生成物を細かく粉砕し、分級機（ＭＤＳ−２：日本ニューマチック工業製）を用いて分級する。（ｉｉｉ）溶融球状化装置（ＭＲ−１０：日本ニューマチック工業製）を用いて（ｉｉ）の生成物を溶融球状化した後さらに分級して、平均粒子径が１０μｍ程度の負帯電性の白色粒子を得る。この白色粒子にシリカ微小粒子（Ｗａｃｋｅｒ社製  Ｈ３００４）を外添して付着させることによって、白色表示媒体とする白色粒子群を得る。
【０１２４】
［その他の実施形態］
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【０１２５】
上述した実施形態では、情報表示器１１０は、孔部１１０ｈを情報表示器の背面側基板に設けるように構成されているが、これに限定されるものではない。例えば、情報表示器１１０は、図１７（ａ）に示すように、情報表示器の一辺に実装されたフレキシブル回路基板（ＦＰＣ）４００に孔部１１０ｈを設けるように構成されていてもよい。或いは、図１７（ｂ）に示すように、情報表示器１１０は、フレキシブル回路基板（ＦＰＣ）４００において、孔部１１０ｈと駆動回路２００とを設けるように構成されていてもよい。或いは、図１７（ｃ）に示すように、情報表示器１１０は、情報表示器１１０の基板（観察側基板１８１または背面側基板１８２）に、駆動回路２００を備えたテープキャリアパッケージ（ＴＣＰ）４１０と、孔部１１０ｈを備えたフレキシブル回路基板（ＦＰＣ）４００とが接続されて構成された回路基板が実装されるように構成されていてもよい。
【０１２６】
また、上述した実施形態では、突出部１２１は、略円柱形状であって、水平方向の断面形状が円形であると説明しているが、突出部１２１の水平方向の断面は円形でなくてもよい。楕円、角形であってもよい。突出部１２１に形成された接続部と孔部１１０ｈに形成された接続部（電極の露出部１１７ａ）との接触面積を確保するためには、円形であることが好ましい。
【０１２７】
上述した実施形態では、情報表示器１１０の一方の面が観察側であると説明した。しかし、２枚の情報表示器１１０の背面側基板１８２同士を貼り合わせて一体化することによって、表裏に観察面を有する情報表示器を構成してもよい。このような構成の情報表示器１１０では、表側の１ページと裏側の１ページとで２ページを構成することになる。この場合、一体化された２枚の情報表示器のそれぞれが導通接続部（孔部１１０ｈ）を備え、制御装置側の導電接続部１２１Ｅは、一体化された２枚の情報表示器のそれぞれの導通接続部（孔部１１０ｈ）に対応するように形成される。
【０１２８】
表示媒体１１６は、白色表示媒体及び黒色表示媒体に限られず、他の色の表示媒体であってもよい。また、表示媒体は、対向する電極に印加した電圧で駆動し、電源からの給電を切断しても表示した情報が保持できる表示メモリ性があるものであればよい。
【０１２９】
例えば、帯電性粒子を含んだ粒子群を透明な絶縁液体中で駆動させる、マイクロカプセル型の電気泳動方式の情報表示器であってもよい。
【０１３０】
また、帯電性粒子を含んだ粒子群を有色の絶縁液体中で駆動させるタイプの電気泳動方式の情報表示器であってもよい。このタイプは、例えば、負帯電性白色粒子で構成した白色表示媒体が、青色のパラフィンオイルなどの有色の絶縁液体とともに隔壁で形成したセル内に封入されている。
【０１３１】
更に、情報表示器としては、半分ずつ２色かつ異帯電極性に構成した球状粒子を表示媒体として使用するタイプ（例えば、マイクロカプセル内で回転駆動させるツイストボール方式）やコレステリック液晶を駆動させるタイプを使用することができる。なかでも、粒子群を気体中（真空中を含む）で駆動させる方式は、駆動応答速度が速く、表示メモリ性にも優れているので好ましい。
【０１３２】
また、上述した実施形態では、駆動回路２００と情報表示器１１０とを一体化しているが、駆動回路２００と情報表示器１１０とを着脱自在に構成してもよい。なお、駆動回路２００と情報表示器１１０とを一体化しない場合においては、駆動回路２００と情報表示器１１０を電気的かつ物理的に着脱自在に接続する接続手段を設ける必要がある。この接続手段の構成としては、例えば、情報表示器と駆動回路のうち一方に凹型接続端子部を設け、この凹型接続端子部と噛み合う凸型接続端子部を設け、凹型接続端子部と凸型接続端子部との嵌合によって駆動回路と情報表示器を電気的かつ物理的に着脱自在に接続する構成を例示できる。また、他の接続手段の構成としては、情報表示器と駆動回路のうち一方に凸型端子部を設け、この凸型端子部が挿入可能な円形孔、十文字形状をしたスリット孔、円形孔と十文字スリット孔を組合せた孔、円形孔と三方スリット孔を組合せた孔、複数のスリット孔を星型に集合させた孔、星型の孔を有する受け部を設ける構成を例示できる。更に、接続手段を合わせて、情報表示器に駆動回路を装着する際のガイドとなるガイド部材や、互いの位置決めを行うための位置決め部材を設けることが望ましい。
【０１３３】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【０１３４】
２０…ＣＰＵ、３０…グラフィックコントローラ、１００…情報表示システム、１１０…情報表示器、１１０ａ…情報表示領域、１１０ｂ…背面、１１０ｈ…孔部、１１５…表示媒体層、１１６…表示媒体、１１７…電極、１１７ａ…露出電極部、１１８…絶縁膜、１１９ａ…ギャップ確保用隔壁、１１９ｂ…粒子偏在抑制用隔壁、１２０…制御装置、１２１…突出部、１２１ｆ…端部、１２２…画像信号送信部、１２３…識別信号送信部、１２１Ｘ…係合部、１２１Ｅ…導電接続部、１２４…導通接続部、１２５…絶縁部、１３０…留め具、１４０…湾曲部材、１４０ａ乃至１４０ｂ…端部、１５０…回動機構、１５１乃至１５２…表示媒体、１８１…観察側基板、１８２…背面側基板、１９１…観察側電極、１９２…背面側電極、２００…駆動回路、３１０…判定回路、３１１…ＸＮＯＲ回路、３１２…ＮＡＮＤ回路、３２０ａ乃至３２０ｅ…アウトプットイネーブル用ライン、または、チップセレクト用ライン、３５０…スイッチ、１１２０…画像信号受信部、１１３１Ｘ…係合孔部、１１３１ｂ、１１３１ｄ、１１３１ｆ、１１３１ｈ、１１３１ｊ、１１３１ｌ…識別信号受信部、１１３１ａ、１１３１ｃ、１１３１ｅ、１１３１ｇ、１１３１ｉ、１１３１ｋ、１１２０…導通接続部、Ｃ…外装体、Ｃａ…載置部、
【図１】
2013088463.tif 000003
【図２】
2013088463.tif 000004
【図３】
2013088463.tif 000005
【図４】
2013088463.tif 000006
【図５】
2013088463.tif 000007
【図６】
2013088463.tif 000008
【図７】
2013088463.tif 000009
【図８】
2013088463.tif 000010
【図９】
2013088463.tif 000011
【図１０】
2013088463.tif 000012
【図１１】
2013088463.tif 000013
【図１２】
2013088463.tif 000014
【図１３】
2013088463.tif 000015
【図１４】
2013088463.tif 000016
【図１５】
2013088463.tif 000017
【図１６】
2013088463.tif 000018
【図１７】
2013088463.tif 000019